(57)【要約】      （修正有）【課題】構造が簡単で、重心平衡を保ち、安全なステッパーの構造を提供する。【解決手段】ステッパーの構造は、使用者が足踏板組立ユニット２０にそれぞれ足を乗せて使用し、足踏みすることによって、両足踏板組立ユニットは上下運動する。そのうち、各足踏板組立ユニット底台１０に前後可動桿２１，２２を設置し、その前後可動桿末端に各々足踏板２３の前後端を枢設する。両足踏板組立ユニットの間には連動部品３０を設置し、両足踏板組立ユニットが上下運動する時、足踏板は常時水平状態を保ち、使用者が重心を保ちやすくする。【選択図】図１
0003113147.tif 000002
【実用新案登録請求の範囲】
【請求項１】
底台上に各々使用者の足を乗せるための足踏板組立ユニットを設置し、使用者が足踏みすることによって、両足踏板組立ユニットが上下運動を行い、ウォーキング効果を具えるステッパーの構造において、
各足踏板組立ユニットは、底台に前後可動桿を設置し、その前後可動桿の末端は各々足踏板の前後端と枢設し、両足踏板組立ユニットの間に連動部品を設置し、その連動部品は枢設軸上に枢設し、別に両連桿に両足踏板組立ユニットの後可動桿と連動部品を連結することを特徴とするステッパーの構造。
【請求項２】
前記枢設軸は、連動部品の上下位置に上下挟持片を設置し、その上下挟持片には枢設軸に相対する別端に第一ネジ桿を螺設し、連動部品は抵抗板が第一ネジ桿の周辺まで伸び、第一ネジ桿によって上下挟持片の隙間を調節し、滑動能力を変化させ、足踏板組立ユニットの運動力を調節することを特徴とする請求項１記載のステッパーの構造。
【請求項３】
前記底台は、枢設軸の後端位置に第二ネジ桿を横に設置し、その第二ネジ桿の末端は、枢設軸の下端と相互に押し、第二ネジ桿によって枢設軸の角度を調節し、連動部品と両足踏板組立ユニットの相対位置を変化させ、更に足踏板の高度を調節することを特徴とする請求項２記載のステッパーの構造。
【請求項４】
前記底台は、台板を設置して第二ネジ桿を螺設することを特徴とする請求項３記載のステッパーの構造。
【請求項５】
前記上下挟持片は、その間に抵抗板と相互に接触する摩擦板を設置することを特徴とする請求項１記載のステッパーの構造。
【請求項６】
前記第一ネジ桿は、上挟持片との間に弾性パッキンを設置することを特徴とする請求項２記載のステッパーの構造。
【請求項７】
前記底台は、両足踏板組立ユニットの足踏板後端位置に緩衝部品を設置することを特徴とする請求項１記載のステッパーの構造。
【請求項８】
前記緩衝部品は、圧縮バネであることを特徴とする請求項６記載のステッパーの構造。
【請求項９】
前記足踏板組立ユニットは、角度を固定する方式によって配置されることを特徴とする請求項１記載のステッパーの構造。
【請求項１０】
前記第一ネジ桿は、ナットを設置することを特徴とする請求項２記載のステッパーの構造。
【請求項１１】
前記第一、第二ネジ桿は、ナットを設置することを特徴とする請求項３記載のステッパーの構造。
【考案の詳細な説明】
【技術分野】
【０００１】
本考案は、ステッパーの構造に関するもので、構造が簡単で、重心平衡を保つものである。
【背景技術】
【０００２】
一般に健康器材は、戸外での運動動作を模擬的に室内で行うことにより、戸外運動と同じ健康効果を得ることを目的としている。例として、ステッパー(もしくは足踏み器とも言う)は、使用者が足踏みすることによって足踏板で左右相互に上下運動し、模擬ウォーキングをする。
【０００３】
公知のステッパーの基本構造は、およそ同じで、主に両足踏板の前端を底台上に枢設し、両足踏板はチェーン(もしくはワイヤー)と油圧シリンダーで連結し、油圧シリンダーの減衰作用によって両足踏板を相対して上下運動させ、液圧シリンダーによって足踏板の動きに適する抵抗を与える。
【０００４】
しかしながら、前述の公知のステッパーは、基本構造のコストが比較的高く、油圧シリンダーの運動力を調節するのは複雑である。高い製造コストは、直接市場競争にも影響を与える。また、使用する時、足踏板は、上昇した時の高さが高いほど前傾斜の角度が大きいため、使用者の重心が安定せず、平衡を保つのが困難で、使用者は常に両足に注意を払うことになり、活動性を制限し、場合によって怪我をすることもあり、危険である。
【考案の開示】
【考案が解決しようとする課題】
【０００５】
解決しようとする問題点は、製造コストが高い点、及び足踏板の重心が安定しないため、リラックスした運動ができない点である。
【課題を解決するための手段】
【０００６】
本考案は、使用者が足踏板組立ユニットにそれぞれ足を乗せて使用し、足踏みすることによって、両足踏板組立ユニットは上下運動する。そのうち、各足踏板組立ユニット底台に前後可動桿を設置し、その前後可動桿末端に各々足踏板の前後端を枢設する。両足踏板組立ユニットの間には連動部品を設置し、両足踏板組立ユニットが上下運動する時、足踏板は常時水平状態を保ち、使用者が重心を保ちやすくすることを最も主要な特徴とする。
【考案の効果】
【０００７】
本考案のステッパーの構造は、構造が簡単で、重心平衡を保ち、足元を気にすることなく、楽しく運動できるという利点がある。
【考案を実施するための最良の形態】
【０００８】
図１及び図２に示すとおり、底台１０上に二組の足踏板組立ユニット２０を設置し、この二組の足踏板組立ユニット２０は、角度を固定する方式を具えた両足踏板２３によって両足で踏んで運動するものである。
【０００９】
そのうち、各足踏板組立ユニット２０は、底台１０に前後可動桿２１、２２を枢設し、前後可動桿２１,２２の末端にはそれぞれ足踏板２３の前後端と枢設する。
また両足踏板組立ユニット２０の間に連動部品３０を設置し、その連動部品３０は、枢設軸４１上に枢設する。別に両連桿３２は両足踏板組立ユニット２０の後可動桿と連動部品３０の間に連結し、使用者が足踏みすることによって両足踏板組立ユニット２０は、連桿３２及び連動部品３０の牽引によって相対して上下運動する。
これらは図３に示す。
【００１０】
両足踏板組立ユニット２０の運動の際、足踏板２３は前後可動桿２１,２２の連動作用によって常に水平状態を維持しており、使用者は重心を平衡に保ちやすくなっている。そのため両足を自由に動かすことができ、足元に気をとられることなく、運動できる。更に底台１０に相対する両足踏板組立ユニット２０の足踏板２３後端位置に圧縮バネから構成する緩衝部品１１を設置し、足踏板２３が下へ降りたときの衝撃を和らげる。
【００１１】
図４に示すとおり、本考案の枢設軸４１は連動部品３０の上下位置に上下挟持片４２,４３を設置し、その上下挟持片４２,４３は枢設軸４１に相対する別端に第一ネジ桿５１を設置する。連動部品３０は抵抗板３１がネジ桿５１の周辺まで伸び、その連動部品３０は両足踏板組立ユニット２０上下運動に伴って左右に揺れたとき、抵抗板３１は上下挟持片４２,  ４３の間で滑動する。そのため、第一ネジ桿５１によって上下挟持片４２,４３の隙間を調節し、抵抗板３１の滑動能力を変化させ、足踏板組立ユニット２０の運動力を調節する。上下挟持片４２,４３の間に抵抗板３１と接触する摩擦板５５を設置してもよく、第一ネジ桿５１と上挟持片４２の間にゴム(もしくはそれに類似する材質)から構成される弾性パッキン５６を設置し、摩擦板５５及び弾性パッキン５６の作用によって、抵抗板３１に対して適する摩擦抵抗力を形成する。
【００１２】
更に底台１０は、枢設軸４１の後端位置に台板５４を設置し、その台板５４箇所横向きに第二ネジ桿５２を螺設する。第二ネジ桿５２の末端は、枢設軸４１の下端と相互に押していて、第二ネジ桿５２で枢設軸４１の角度を調節して連動部品３０と両足踏板組立ユニット２０の相対位置を調節し、更には足踏板２３の高度を調節する。また運動力を調節する第一ネジ桿５１と足踏板２３の高度を調節する第二ネジ桿５２はナット５３を設置し、使用者は手で第一ネジ桿５１、第二ネジ桿５２を回転させることによって機器を調節する。
【図面の簡単な説明】
【００１３】
【図１】本考案の外観立体図である。
【図２】本考案の平面俯瞰図である。
【図３】本考案の動作指示図である。
【図４】本考案の連動ユニット周辺関連部品の構造断面図である。
【図５】本考案の収納状態図である。
【符号の説明】
【００１４】
１０  底台
１１  緩衝部品
２０  足踏板組立ユニット
２１  前可動板
２２  後可動板
２３  足踏板
３０  連動部品
３１  抵抗板
３２  連桿
４１  枢設軸
４２  上挟持片
４３  下挟持片
５１  第一ネジ桿
５２  第二ネジ桿
５３  ナット
５４  台板
５５  摩擦板
５６  弾性パッキン
【図１】
0003113147.tif 000003
【図２】
0003113147.tif 000004
【図３】
0003113147.tif 000005
【図４】
0003113147.tif 000006
【図５】
0003113147.tif 000007